【手続補正書】
【提出日】平成21年11月9日(2009.11.9)
【手続補正１】
【補正対象書類名】特許請求の範囲
【補正対象項目名】全文
【補正方法】変更
【補正の内容】
【特許請求の範囲】
【請求項１】
第１表示板と、
前記第１表示板より寸法が小さく前記第１表示板と対向配置される第２表示板と、を備え、
前記第１表示板及び前記第２表示板は、前面表示領域と背面表示領域とに区分されて両面で画像を表示することを特徴とする表示パネル。
【請求項２】
前記前面表示領域は透過型で形成され、前記背面表示領域は反射型で形成されることを特徴とする請求項１に記載の表示パネル。
【請求項３】
前記背面表示領域は、前記第１表示板または前記第２表示板に反射層が形成されてなされることを特徴とする請求項２に記載の表示パネル。
【請求項４】
前記反射層は、アルミニウム（Ａｌ）または銀（Ａｇ）のような高反射率を有する素材を含んで形成されることを特徴とする請求項３に記載の表示パネル。
【請求項５】
前記第１表示板は背面に配置されて前記背面表示領域で画像を表示し、前記第２表示板は前面に配置されて前記前面表示領域で画像を表示することを特徴とする請求項１に記載の表示パネル。
【請求項６】
前記第２表示板は、絶縁基板と該絶縁基板上に形成されるカラーフィルターとを含み、
前記背面表示領域において、前記絶縁基板と前記カラーフィルターとの間に形成される反射層をさらに含むことを特徴とする請求項５に記載の表示パネル。
【請求項７】
前記第１表示板は、
絶縁基板と、
前記絶縁基板上に形成されたゲート線及びこれと連結されたゲート電極を含むゲート配線と、
前記ゲート配線を覆うゲート絶縁膜と、
前記ゲート絶縁膜上に形成されて前記ゲート電極と少なくとも一部が重なる半導体層と、
前記半導体層上に形成されて前記ゲート電極を中心に分離される抵抗性接触層と、
前記抵抗性接触層上に形成されて前記ゲート電極を中心に分離されるソース電極及びドレーン電極と、前記ソース電極と連結されて前記ゲート線と交差するデータ線とを含むデータ配線と、
前記データ配線上に形成されるカラーフィルターと、を含むことを特徴とする請求項５に記載の表示パネル。
【請求項８】
前記第２表示板は、前記背面表示領域において他の絶縁基板上に形成される反射層を含むことを特徴とする請求項７に記載の表示パネル。
【請求項９】
前記第１表示板は前面に配置されて前記前面表示領域で画像を表示し、前記第２表示板は背面に配置されて前記背面表示領域で画像を表示することを特徴とする請求項１に記載の表示パネル。
【請求項１０】
前記第１表示板は、
絶縁基板と、
前記絶縁基板上に形成されるゲート線及びこれと連結されたゲート電極を含むゲート配線と、
前記ゲート配線を覆うゲート絶縁膜と、
前記ゲート絶縁膜上に形成されて前記ゲート電極と少なくとも一部が重なる半導体層と、
前記半導体層上に形成されて前記ゲート電極を中心に分離される抵抗性接触層と、
前記抵抗性接触層上に形成されて前記ゲート電極を中心に分離されるソース電極及びドレーン電極と、前記ソース電極と連結されて前記ゲート線と交差するデータ線を含むデータ配線と、
前記データ配線上に形成されて前記ドレーン電極の一部を露出する複数の接触孔を有する保護膜と、を含み、
前記背面表示領域で前記保護膜上に形成される反射層をさらに含むことを特徴とする請求項９に記載の表示パネル。
【手続補正２】
【補正対象書類名】明細書
【補正対象項目名】発明の名称
【補正方法】変更
【補正の内容】
【発明の名称】表示パネル
【手続補正３】
【補正対象書類名】明細書
【補正対象項目名】０００１
【補正方法】変更
【補正の内容】
【０００１】
本発明は、表示パネルに関し、より詳しくは、両面で各々画像を表示する表示パネルに関する。
【手続補正４】
【補正対象書類名】明細書
【補正対象項目名】０００５
【補正方法】変更
【補正の内容】
【０００５】
上記目的を達成するためになされた本発明による表示パネルは、第１表示板と、前記第１表示板より寸法が小さく前記第１表示板と対向配置される第２表示板とを備え、前記第１表示板及び前記第２表示板は、前面表示領域と背面表示領域とに区分されて両面で画像を表示することを特徴とする。
前記前面表示領域は透過型に形成され、前記背面表示領域は反射型で形成されることが望ましい。
前記背面表示領域は、前記第１表示板または前記第２表示板に反射層が形成されてなされることが望ましい。
前記反射層は、アルミニウム（Ａｌ）また銀（Ａｇ）のような高反射率を有する素材を含んで形成されることが望ましい。
前記第１表示板は背面に配置されて前記背面表示領域で画像を表示し、前記第２表示板は前面に配置されて前記前面表示領域で画像を表示することが望ましい。
前記第２表示板は、絶縁基板と該絶縁基板上に形成されるカラーフィルターとを含み、前記背面表示領域において、前記絶縁基板と前記カラーフィルターとの間に形成される反射層をさらに含むことができる。
また、前記第１表示板は、絶縁基板と、前記絶縁基板上に形成されたゲート線及びこれと連結されたゲート電極を含むゲート配線と、前記ゲート配線を覆うゲート絶縁膜と、前記ゲート絶縁膜上に形成されて前記ゲート電極と少なくとも一部が重なる半導体層と、前記半導体層上に形成されて前記ゲート電極を中心に分離される抵抗性接触層と、前記抵抗性接触層上に形成されて前記ゲート電極を中心に分離されたソース電極及びドレーン電極と、前記ソース電極と連結されて前記ゲート線と交差するデータ線とを含むデータ配線と、  前記データ配線上に形成されるカラーフィルターと、を含むことができる。
ここで、前記第２表示板は、前記背面表示領域において他の絶縁基板上に形成された反射層を含むことができる。
また、前記第１表示板は前面に配置されて前記前面表示領域で画像を表示し、前記第２表示板は背面に配置されて前記背面表示領域で画像を表示することができる。
この時、前記第１表示板は、絶縁基板と、前記絶縁基板上に形成されるゲート線及びこれと連結されたゲート電極を含むゲート配線と、前記ゲート配線を覆うゲート絶縁膜と、前記ゲート絶縁膜上に形成されて前記ゲート電極と少なくとも一部が重なる半導体層と、前記半導体層上に形成されて前記ゲート電極を中心に分離される抵抗性接触層と、前記抵抗性接触層上に形成されて前記ゲート電極を中心に分離されたソース電極及びドレーン電極と、前記ソース電極と連結されて前記ゲート線と交差するデータ線を含むデータ配線と、前記データ配線上に形成されて前記ドレーン電極の一部を露出する複数の接触孔を有する保護膜と、を含み、前記背面表示領域で前記保護膜上に形成される反射層をさらに含むことができる。
【手続補正５】
【補正対象書類名】明細書
【補正対象項目名】０００６
【補正方法】削除
【補正の内容】
【手続補正６】
【補正対象書類名】明細書
【補正対象項目名】０００７
【補正方法】変更
【補正の内容】
【０００７】
本発明によれば、両面で各々画像を表示する表示パネルを提供できる。
即ち、両面で各々画面が表示される一つの表示パネルを用いて折畳み形に製造される携帯電話の折畳み部の前後面に各々画面を表示することができる。
また、一つの表示パネルのみを用いるため、表示装置を軽薄短小化できて携帯性が向上できる。
また、一つの表示パネルのみを用いるため、構造が簡単で製造過程において生産性が向上する。
【手続補正７】
【補正対象書類名】明細書
【補正対象項目名】０００８
【補正方法】変更
【補正の内容】
【０００８】
以下、本発明による表示パネルを実施するための最良の形態の具体例を、図面を参照しながら詳細に説明する。